(57)【要約】【課題】  本考案は、文字・デザイン・写真・絵などがエッチングや転・謄写処理された透過材や鏡面材を発光させ、方形のみならず曲形にも対応でき、且つ、奥行きがあり動的な装飾が出来る事を特徴とした構造物である。【解決手段】  前記発光対象素材を用い、これらを平面や立体に重層し自由に組み合わせ、光源を様々に点灯・点滅制御させ、フレキシブル基板を用いる事によって、方形のみならず曲形にも対応でき、且つ、奥行きがあり動的な装飾構造物の構築が可能となる。【選択図】  図１
0003107768.tif 000002
【実用新案登録請求の範囲】
【請求項１】
ガラス材やアクリル材等の透過素材や鏡面材の表面に文字やデザインをエッチング加工した物や、写真や絵柄等を転・謄写した物の端面にＬＥＤ素子を相当個数、相当枚数配列した基板を点灯・点滅制御させ、光の三原色の輝度を変化させて視覚的な興味を引く構造を持つ。本考案は方形のみならず曲形にもフレキシブル基板にＬＥＤ素子を実装した物であれば円弧に沿わす事が可能になる事によって発光装飾させる事が可能となる。又、装飾方法も前記加工済みの素材等を厚み側に、あらゆる組合せで重層し発光順序や発光位置を、ガラス１枚目ガラス２枚目・・・ガラス１枚目の左側、ガラス２枚目の上側・・・等と自由な組合せによるあらゆる変化を与える事によって、より動的な装飾が行える。これらの組合せによって、あらゆる前記材料を使った方形や異形等の装飾を行える事が出来、又、奥行きのある装飾が可能である事を特徴とする曲形発光と素材重層発光による装飾物。
【考案の詳細な説明】
【技術分野】
【０００１】
本考案は、ＬＥＤ素子光源を用いた透過素材や鏡面材等を発光させる装飾物に関する。
【背景技術】
【０００２】
従来のＬＥＤ素子を用いたイルミネーション装飾は、工芸ガラス等を前記の光源を点灯点滅制御する事により、より視覚的に装飾する事が可能である。
【特許文献１】特開２００３−第６６８８６号公報
【特許文献２】特開２００１−第１９１６９８Ａ号公報
【考案の開示】
【考案が解決しようとする課題】
【０００３】
しかしながら、用途としてメッセージ、ウェルカム、インフォメーション用の方形ボード装飾が主であり、曲形での効率的な装飾や奥行きのある装飾物はできない。
【課題を解決するための手段】
【０００４】
本考案は、フレキシブル基板を使用し曲形発光を可能とし、又、発光させる対象物である透過素材や鏡面材等には各々一連性のある、若しくは一連性の無いデザインや文字や写真や絵がエッチング加工若しくは転・謄写されたものを多重層し、各々の前記素材をあらゆるパターンで発光させ従来品より、奥行きがあり、より動的な視覚効果が得られる物である。
【考案の効果】
【０００５】
本考案により、透過素材や鏡面材等を用いたあらゆる形状の装飾及び奥行きのある装飾が可能になる為、テーブル、食器棚、窓ガラス、コレクションケース、時計、水槽、看板などの幅広いインテリア分野や装飾分野に活用が可能となる。
【考案を実施するための最良の形態】
【０００６】
方形のみならず曲形にも発光素子を沿わす為、ＬＥＤ素子がマウントされたフレキシブル基板を用い表示させたい文字やデザインの発光度合が適切になるように、前記基板長さや基板枚数や発光素子個数や取り付け角度を調整し前記素材端面に沿わせる。又、前記素材をあらゆる自由な組合せで重層し其々をあらゆるパターンで点灯・点滅制御する事により、奥行きを持たせ、より動的な装飾を行う事が出来る物である。
【実施例】
【０００７】
図１に示すように、時計前面ガラス２にエッチング加工された模様３を装飾発光させる為に時計前面ガラス２の上下端部にフレキシブル基板１を沿わす。発光程度が適当になるよう発光素子の個数、基板の長さ、基板の枚数、取付位置や角度を調整する。
【０００８】
図２に示すように、ガラス材４、５、６と鏡面材７の各々の端面に沿わしたＬＥＤマウント基板９を図３に示すような基本回路で、あらゆるパターンで点灯・点滅制御し重層８のように合成すれば奥行きのある動的な装飾物ができる。
【０００９】
図４は使用形体の一部を挙げた物であり、水槽９やコレクションケース１０の実施例である。黒く塗り潰した個所が発光する部分であり、９はこの例では水泡を見立てており、
１０は背面ガラスが発光され、その前面に置かれたコレクション品などを引き立たせる装飾が実現できる物である。
【図面の簡単な説明】
【００１０】
【図１】フレキシブル基板を用いた曲形装飾
【図２】透過素材や鏡面材等の多重層装飾
【図３】基本回路図
【図４】各種使用形態例を示す。
【符号の説明】
【００１１】
１  ＬＥＤ素子をマウントしたフレキシブル基板
２  時計前面ガラス材など
３  エッチングされたデザイン
４  前面ガラス材など
５  中面ガラス材など
６  中面ガラス材など
７  背面転・謄写鏡面材など
８  符号３、４、５、６の合成
９  ＬＥＤ素子をマウントした基板
１０  使用例水槽(黒塗り潰し部は発光部)
１１  使用例コレクションケース（黒塗り潰し部は発光部）
【図１】
0003107768.tif 000003
【図２】
0003107768.tif 000004
【図３】
0003107768.tif 000005
【図４】
0003107768.tif 000006
【手続補正書】
【提出日】平成16年10月19日(2004.10.19)
【手続補正１】
【補正対象書類名】実用新案登録請求の範囲
【補正対象項目名】全文
【補正方法】変更
【補正の内容】
【実用新案登録請求の範囲】
【請求項１】
写真や絵柄等を転・謄写した鏡面材等の端面に光源を相当個数、相当枚数配列した基板を点灯・点滅制御させ、光の三原色の輝度を変化させて視覚的な興味を引く装飾構造物。
【請求項２】
ガラス材やアクリル材等の透過素材や請求項１の鏡面材等の端面に光源を相当個数、相当枚数配列したフレキシブル基板を用いて、方形のみならず曲形にも基板を沿わす事が出来、あらゆるパターンで点灯・点滅制御させ、光の三原色の輝度を変化させる装飾構造物。
【請求項３】
請求項１・請求項２に記された透過材や鏡面材等を複数枚使用し、あらゆる組合せに平面及び立体的に重層し、前記請求項の発光手段にて装飾を施す装飾構造物。
【請求項４】
請求項１・請求項２・請求項３の組合せによる装飾構造物
【手続補正２】
【補正対象書類名】明細書
【補正対象項目名】全文
【補正方法】変更
【補正の内容】
【考案の詳細な説明】
【技術分野】
【０００１】  本考案は、光源を用い透過素材や鏡面材等を発光させる装飾物に関する。
【背景技術】
【０００２】  従来のＬＥＤ素子を用いたイルミネーション装飾は、工芸ガラス等を前記光源を用い点灯・点滅制御する事により、より視覚的に装飾する事が可能である。【特許文献１】特開２００３−第６６８８６号公報
【特許文献２】特開２００１−第１９１６９８Ａ号公報
【考案の開示】
【考案が解決しようとする課題】
【０００３】  しかしながら、用途としてメッセージ、ウェルカム、インフォメーション用の方形ボード装飾が主であり、曲形での効率的な装飾や、奥行きのある装飾はできない。
【課題を解決するための手段】
【０００４】本考案は、フレキシブル基板を使用し曲形発光を可能とし、又、発光させる対象物である透過素材や鏡面材等には各々一連性のある、若しくは一連性の無いデザインや文字や写真や絵がエッチング加工若しくは転・謄写されたものを多重層し、各々の前記素材をあらゆるパターンで発光させ従来品より、奥行きがあり、より動的な視覚効果が得られるものである。
【考案の効果】
【０００５】本考案により、透過素材や鏡面材等を用いた、あらゆる形状の装飾及び奥行きのある装飾が可能になる為、テーブル、食器棚、窓ガラス、コレクションケース、時計、水槽、看板などの幅広いインテリア分野や装飾分野に活用が可能となる。
【考案を実施するための最良の形態】
【０００６】エッチング加工された透過材と転・謄写された鏡面材を発光対象物とする。又、発光対象物を平面や立体的に重層する。光源が適当個数マウントされたフレキシブル基板を用い方形のみならず曲形の発光対象物に対応する。これらの組合せによって多形状で奥行きのある動的な装飾が出来る構造物である。
【実施例】
【０００７】図１に示すように、転・謄写した鏡面材１の両側端に光源をマウントした基板２（基板２の平面図３）を沿わせ発光装飾させる。【０００８】図２に示すように、時計前面ガラス５にエッチング加工された模様６を装飾発光させる為に時計前面ガラス５の上下端部にフレキシブル基板４を沿わす。発光程度が適当になるよう光源の個数、基板の長さ、基板の枚数、取付位置や角度を調整する。【０００９】図４に示すように、エッチング加工済みガラス材４、５、６と転・謄写加工済み鏡面材７の各々の端面に沿わした光源マウント基板９を図３に示すような基本回路で、あらゆるパターンで点灯・点滅制御し前記発光対象素材を組合せ自由に、又は、立体的に重層し合成すれば重層例８のように奥行きのある動的な装飾構造物が出来る。【００１０】図５に示すように、エッチング加工済み透過材１３、１４、１５と転・謄写加工済み鏡面材１６の端面に沿わした光源マウント基板１７を図３に示すような基本回路で、あらゆるパターンで点灯・点滅制御し前記発光対象素材を組合せ自由に、又は、立体的に重層し合成すれば重層例１８のように曲面の奥行きのある動的な装飾構造物が出来る。
【図面の簡単な説明】
【００１１】
【図１】転・謄写鏡面材を用いた装飾構造物
【図２】フレキシブル基板を用いた曲形装飾構造物
【図３】基本回路図←変更なし
【図４】重層による発光装飾構造物
【図５】重層による曲形発光装飾構造物
【符号の説明】
【００１２】１  転・謄写加工済鏡面材    ２  光源マウント基板（側面）    ３  光源マウント基板（平面）４  光源マウントフレキシブル基板５  曲形エッチング加工済透過材６  エッチング模様７  エッチング加工済透過材８  エッチング加工済透過材９  エッチング加工済透過材１０  転・謄写加工済鏡面材１１  光源マウント基板１２  ７、８、９、１０の合成１３  曲形エッチング加工済透過材１４  曲形エッチング加工済透過材１５  曲形エッチング加工済透過材１６  転・謄写加工済鏡面材１７  光源マウントフレキシブル基板１８  １３、１４、１５、１６の合成
【手続補正３】
【補正対象書類名】図面
【補正対象項目名】全図
【補正方法】変更
【補正の内容】
【図１】
0003107768.tif 000007
【図２】
0003107768.tif 000008
【図３】
0003107768.tif 000009
【図４】
0003107768.tif 000010
【図５】
0003107768.tif 000011